(57)【要約】【課題】回転にともなって回転軸と遠心ファンとの間に作用する力を確実に支えて、両者の固定を確実にし、かつ組立性を向上可能な電動送風機を提案する。【解決手段】電動送風機１は、遠心ファン２と、遠心ファン２に回転一体に固定される軸９と、を備えている。軸９は、軸９の回転中心線Ｃに対して実質的に平行に配置される第一平面部５５を有する回転方向荷重支持部５１と、軸９の回転中心線Ｃに対して実質的に直交する方向に延び、かつ第一平面部５５に連なる第二平面部５６を有する挿入位置決定部５２と、を有している。遠心ファン２は、第一平面部５５に対面する第三平面部６２を有し、かつ回転方向荷重支持部５１が挿入される孔１５と、第二平面部５６に対面して孔１５に挿入される軸９の挿入位置を決定する第四平面部６３を有する孔縁部６１と、を有している。【選択図】  図２
2020023952.tif 000002
【特許請求の範囲】
【請求項１】
遠心ファンと、
前記遠心ファンに回転一体に固定される軸と、を備え、
前記軸は、前記軸の回転中心線に対して実質的に平行に配置される第一平面部を有する回転方向荷重支持部と、前記軸の回転中心線に対して実質的に直交する方向に延び、かつ前記第一平面部に連なる第二平面部を有する挿入位置決定部と、を有し、
前記遠心ファンは、前記第一平面部に対面する第三平面部を有し、かつ前記回転方向荷重支持部が挿入される孔と、前記第二平面部に対面して前記孔に挿入される前記軸の挿入位置を決定する第四平面部を有する孔縁部と、を有する電動送風機。
【請求項２】
前記第一平面部、および前記第三平面部を、複数かつ同数有する電動送風機。
【請求項３】
前記複数の第一平面部、および前記複数の第三平面部は、前記軸の中心の回りに実質的に等間隔に配置される請求項２に記載の電動送風機。
【請求項４】
前記回転方向荷重支持部の最大外径は、前記軸の軸径よりも小さい請求項２または３に記載の電動送風機。
【請求項５】
前記第二平面部を、前記第一平面部、および前記第三平面部と同数有する請求項２または３に記載の電動送風機。
【請求項６】
前記複数の第二平面部は、前記軸の中心の回りに実質的に等間隔に配置される請求項５に記載の電動送風機。
【請求項７】
前記軸部に固定されて前記遠心ファンが前記軸から抜け出ることを防ぐ抜止部を備える請求項１から６のいずれか１項に記載の電動送風機。
【発明の詳細な説明】
【技術分野】
【０００１】
本発明に係る実施形態は電動送風機に関する。
【背景技術】
【０００２】
電動送風機は、電動機と、遠心ファンと、電動機から遠心ファンへ回転駆動力を伝達する回転軸と、を備えている。
【０００３】
遠心ファンは、回転軸が挿し通される孔を有している。孔の内部には、遠心ファンの軸方向に沿う溝部が設けられている。溝部は、孔の一端側に開放される一方、孔の他端側に閉塞されている。回転軸には、樹脂材料によって形成される回り止め部が設けられている。回り止め部は、未硬化の状態で溝部の開口端側から孔に侵入し、硬化した後に回転軸と遠心ファンとを回り止めする。
【先行技術文献】
【特許文献】
【０００４】
【特許文献１】特開２０１５−１４０７９６号公報
【発明の概要】
【発明が解決しようとする課題】
【０００５】
従来の電動送風機は、遠心ファンを回転軸に、一時的に所望の取付位置よりも深く挿入し、回転軸の外周面に流体状の樹脂材料を塗布して、遠心ファンを所望の取付位置にスライドさせて引き戻すことで、孔の溝部へ樹脂材料を侵入させている。この状態で、遠心ファンと回転軸とを治具に取り付けて、樹脂材料を硬化させる。
【０００６】
つまり、従来の電動送風機は、遠心ファンに作用する回転方向の力（いわゆるラジアル荷重）を、硬化した樹脂材料で支える一方、回転軸に対する遠心ファンの挿入位置を治具によって制御している。
【０００７】
しかしながら、電動送風機の高回転化や、遠心ファンの大型化を鑑みると、従来の電動送風機における遠心ファンと回転軸との固定態様には、改善の余地を有している。また、従来の電動送風機と同程度のサイズの遠心ファンを同程度の回転数で回転させる際には、遠心ファンと回転軸との固定態様を改善することで、信頼性や耐久性をより向上させることができる。
【０００８】
そこで、本発明は、回転にともなって回転軸と遠心ファンとの間に作用する力を確実に支えて、両者の固定を確実にし、かつ組立性を向上可能な電動送風機を提案する。
【課題を解決するための手段】
【０００９】
前記の課題を解決するため本発明の実施形態に係る電動送風機は、遠心ファンと、前記遠心ファンに回転一体に固定される軸と、を備え、前記軸は、前記軸の回転中心線に対して実質的に平行に配置される第一平面部を有する回転方向荷重支持部と、前記軸の回転中心線に対して実質的に直交する方向に延び、かつ前記第一平面部に連なる第二平面部を有する挿入位置決定部と、を有し、前記遠心ファンは、前記第一平面部に対面する第三平面部を有し、かつ前記回転方向荷重支持部が挿入される孔と、前記第二平面部に対面して前記孔に挿入される前記軸の挿入位置を決定する第四平面部を有する孔縁部と、を有している。
【図面の簡単な説明】
【００１０】
【図１】本発明の実施形態に係る電動送風機の分解斜視図。
【図２】本発明の実施形態に係る電動送風機の断面図。
【図３】本発明の実施形態に係る電動送風機の第一例の一部を拡大した斜視断面図。
【図４】本発明の実施形態に係る電動送風機の遠心ファンおよび軸の第一例の断面図。
【図５】本発明の実施形態に係る電動送風機の遠心ファンおよび軸の第二例の断面図。
【図６】本発明の実施形態に係る電動送風機の遠心ファンおよび軸の第三例の断面図。
【図７】本発明の実施形態に係る電動送風機の遠心ファンおよび軸の第四例の断面図。
【図８】本発明の実施形態に係る電動送風機の遠心ファンおよび軸の第五例の断面図。
【図９】本発明の実施形態に係る電動送風機の遠心ファンおよび軸の第六例の断面図。
【図１０】本発明の実施形態に係る電動送風機の遠心ファンおよび軸の第七例の断面図。
【図１１】本発明の実施形態に係る電動送風機の遠心ファンおよび軸の第八例の断面図。
【図１２】本発明の実施形態に係る電動送風機の遠心ファンおよび軸の第九例の断面図。
【発明を実施するための形態】
【００１１】
本発明に係る電動送風機の実施形態について図１から図１２を参照して説明する。
【００１２】
なお、複数の図面中、同一または相当する構成には同一の符号を付している。
【００１３】
図１は、本発明の実施形態に係る電動送風機の分解斜視図である。
【００１４】
図２は、本発明の実施形態に係る電動送風機の断面図である。
【００１５】
図１および図２に示すように、本実施形態に係る電動送風機１は、遠心ファン２を含むロータ３と、遠心ファン２を駆動させる電動機５と、遠心ファン２から吐出する流体を電動機５側へ案内するディフューザー６と、吸込口７を有して遠心ファン２を覆うシュラウド８と、を備えている。なお、流体は、もっぱら気体であり、空気である。
【００１６】
ロータ３は、遠心ファン２と、遠心ファン２に回転一体に固定される軸９と、軸９に固定されて遠心ファン２が軸９から抜け出ることを防ぐ抜止部１０と、ディフューザー６に軸９を回転自在に支える軸受組立部品１１と、を備えている。ロータ３は、遠心ファン２、軸９、および軸受組立部品１１を予め組み立てた遠心ファン組立部品である。ロータ３は、一括してディフューザー６に組み込まれる。
【００１７】
軸９の一方の端部には遠心ファン２が固定され、軸９の他方の端部には電動機５が接続されている。
【００１８】
遠心ファン２は、ディフューザー６の上流側に配置されている。遠心ファン２は、ハブ１２と、ハブ１２から突出する複数の羽根１３と、を備えている。ハブ１２の中心部には、軸９を配置する孔１５が設けられている。孔１５は、遠心ファン2の回転中心線に沿ってハブ１２を貫通している。
【００１９】
軸受組立部品１１は、筒体としてのスリーブ１６と、スリーブ１６内に設けられ、軸９を回転可能に支持する軸受１７と、を備えている。軸受１７は、間隔を隔てて一対ある。それぞれの軸受１７は、スリーブ１６のそれぞれの端部に配置されている。互いに間隔を隔てる一対の軸受１７は、軸９を良好に支持する。スリーブ１６は、一対の軸受１７を同心に配置し、包囲している。
【００２０】
軸９、軸受１７、およびスリーブ１６は、金属材料製、特に鉄鋼材料製である。
【００２１】
抜止部１０は、例えば硬化した接着剤や、軸９に設けられるネジ部（図示省略）に締結されるナットである。遠心ファン２が回転して電動送風機１が空気を吸い込む際、遠心ファン２には、軸９から抜け出る方向へ荷重（スラスト荷重）が作用する。抜止部１０は、遠心ファン２に作用するスラスト荷重に抗して、遠心ファン２が軸９から抜け出ることを防ぐ。
【００２２】
電動機５は、いわゆるＤＣブラシレスモーターである。電動機５は、軸９に回転一体に固定される回転子１８と、ディフューザー６に固定されて回転子１８を包囲する固定子１９と、を備えている。電動機５は、ディフューザー６の下流側に配置されている。
【００２３】
ディフューザー６は、軸受組立部品１１を介して軸９および遠心ファン２を回転自在に支持するフレームの役割を担っている。このため、ディフューザー６は、スリーブ１６が固定される貫通孔２１を有している。また、ディフューザー６は、電動機５の固定子１９を保持している。
【００２４】
ディフューザー６は、樹脂成形品であり、例えばガラス繊維を配合したＰＥＴ樹脂(Poly Ethylene Terephthalate、ポリエチレンテレフタレート樹脂）の成形品である。ディフューザー６は、ハブ２２と、ハブ２２に同心な筒状の周壁２３と、複数の軸線方向ベーン２５と、を備えている。
【００２５】
ハブ２２は、軸受組立部品１１を保持する筒状の中央部２６と、周壁２３との間に遠心ファン２から流出する流体を電動機５側へ導く流路を区画する外側環状部２７と、中央部２６と外側環状部２７との間に拡がる円板部２８と、を有している。
【００２６】
ハブ２２の遠心ファン２側の面には、中央部２６と円板部２８とを画定する第一段部３１が設けられている。第一段部３１は、ハブ２２の外側へ向かって遠心ファン２から遠ざかる方向へ傾斜している。
【００２７】
また、ハブ２２の遠心ファン２側の面には、円板部２８と外側環状部２７とを画定する第二段部３２が設けられている。
【００２８】
第一段部３１よりも外側（ハブ２２の外周側）かつ第二段部３２よりも内側（ハブ２２の中心側）は、遠心ファン２側から見て窪んでいる。この窪みの底面は、円板部２８の遠心ファン２側の面にあたる。この窪みには、遠心ファン２の後ろシュラウドの外周部が配置されている。
【００２９】
ハブ２２は、中央部２６にスリーブ１６が固定される貫通孔２１を有している。貫通孔２１は、スリーブ１６を介して軸受組立部品１１を保持、固定し、ひいては軸９および遠心ファン２を回転自在に支持している。
【００３０】
周壁２３は、ハブ２２から間隔を隔てて、ハブ２２全体を包囲している。
【００３１】
複数の軸線方向ベーン２５は、２次元翼型を有している。複数の軸線方向ベーン２５は、周壁２３とハブ２２との間に架設されて周壁２３とハブ２２とを一体化している。複数の軸線方向ベーン２５の後縁は、電動送風機１の流体出口である。つまり、ディフューザー６は、遠心ファン２から吐出される流体を電動機５側へ案内する。
【００３２】
軸線方向ベーン２５は、ハブ２２と周壁２３との間に流路としての空間を隔ててディフューザー６の流体出口を区画している。
【００３３】
なお、ディフューザー６は、複数の半径方向ベーン３３（二点鎖線）を備えていても良い。複数の半径方向ベーン３３は、外側環状部２７の周囲で周方向に間隔を隔てて設けられている。半径方向ベーン３３も２次元翼型を有している。ディフューザー６に複数の半径方向ベーン３３を設ける場合、シュラウド８の内面には、複数の半径方向ベーン３３に対応する複数の凹部８ａが設けられる。半径方向ベーン３３のそれぞれは、それぞれの凹部８ａに突入してディフューザー６に固定される。
【００３４】
シュラウド８は、遠心ファン２の前シュラウドに相当する。シュラウド８は、遠心ファン２およびディフューザー６の上流側を覆う壁部４１を備えている。壁部４１は、遠心ファン２へ流体を導く吸込口７を有する円筒形状の第一壁４２と、遠心ファン２の羽根１３に沿って徐々に拡がる円錐状の第二壁４３と、ディフューザー６の上流側を塞ぐ第三壁４４と、を有している。複数の凹部８ａは、第三壁４４の内面に設けられる。
【００３５】
吸込口７は、電動送風機１の流体入口であって円形の開口である。
【００３６】
シュラウド８は、接着剤４６によってディフューザー６の周壁２３に固定されている。遠心ファン２およびディフューザー６の上流側を覆うシュラウド８によって、電動送風機１の流体入口（吸込口７）から流体出口（複数の軸線方向ベーン２５の後縁）へ至る流路が区画されている。
【００３７】
図３は、本発明の実施形態に係る電動送風機の第一例の一部を拡大した斜視断面図である。なお、図３では遠心ファン２を断面の斜視で示し、軸９を非断面の斜視で示す。
【００３８】
図４は、図２のＩＶ−ＩＶ線における断面図であって、本発明の実施形態に係る電動送風機の遠心ファンおよび軸の第一例の断面図である。
【００３９】
図２に加えて、図３および図４に示すように、本実施形態に係る電動送風機１は、遠心ファン２と、遠心ファン２に回転一体に固定される軸９と、を備えている。
【００４０】
そして、軸９は、回転方向荷重支持部５１と、回転方向荷重支持部５１に連なる挿入位置決定部５２と、を備えている。
【００４１】
回転方向荷重支持部５１は、軸９の回転中心線Ｃに対して実質的に平行に配置される第一平面部５５を有している。
【００４２】
挿入位置決定部５２は、軸９の回転中心線Ｃに対して実質的に直交する方向に延び、かつ第一平面部５５に連なる第二平面部５６を有している。
【００４３】
遠心ファン２は、軸９の回転方向荷重支持部５１が挿入される孔１５と、孔１５に挿入される軸９の挿入位置を決定する孔縁部６１と、を備えている。
【００４４】
孔１５は、軸９の第一平面部５５に対面する第三平面部６２を有している。
【００４５】
孔縁部６１は、第二平面部５６に対面して孔１５に挿入される軸９の挿入位置を決定する第四平面部６３を有している。
【００４６】
なお、軸９は、例えばエポキシ樹脂系の接着剤（図示省略）で遠心ファン２に接着されている。換言すると、軸９の第一平面部５５は、遠心ファン２の第三平面部６２に接着されている。軸９の第二平面部５６は、遠心ファン２の第四平面部６３に接着されている。遠心ファン２を軸９に固定する接着剤は、抜止部１０と協働して遠心ファン２に作用するスラスト荷重を支持している。回転方向荷重支持部５１と孔１５との間には、接着層を形成可能な微小な隙間がある。
【００４７】
ここで先ず、軸９の第一平面部５５および第二平面部５６と、遠心ファン２の第三平面部６２および第四平面部６３とが、それぞれ複数かつ同数（例えば４つ）設けられている場合について説明する。
【００４８】
具体的には、図３および図４に示すように、電動送風機１は、軸９の中心線Ｃの方向から見ると、正方形の回転方向荷重支持部５１および孔１５を備えている。正方形の対角線の交点は、実質的に軸９の中心線Ｃに一致する。
【００４９】
つまり、軸９は、４つの第一平面部５５を有する回転方向荷重支持部５１と、４つの第二平面部５６を有する挿入位置決定部５２と、を備えている。遠心ファン２は、４つの第三平面部６２を有する孔１５と、４つの第四平面部６３を有する孔縁部６１を備えている。
【００５０】
そして、複数の第一平面部５５、複数の第二平面部５６、複数の第三平面部６２、および複数の第四平面部６３は、軸９の中心線Ｃの回りに実質的に等間隔に配置される。換言すると、軸９の中心線Ｃの方向から見ると（図４）、複数の第一平面部５５および複数の第三平面部６２は、正方形を描いている。
【００５１】
それぞれの第一平面部５５およびそれぞれの第三平面部６２は、軸９の回転中心線Ｃの方向に長辺を有し、複数の第一平面部５５が描く正方形の一辺を短辺とする長方形である。
【００５２】
第一平面部５５および第三平面部６２は、軸９および遠心ファン２の回転方向に倣う軸９の外周（円、または円弧）とは異なり、軸９および遠心ファン２の回転方向に対して交差している（図４）。そのため、相互に対面し、かつ接着された第一平面部５５および第三平面部６２は、遠心ファン２が増速する際に軸９から遠心ファン２への回転駆動力を確実に伝達し、遠心ファン２が減速する際に遠心ファン２から軸９へ負荷される荷重を確実に支える。換言すると、第一平面部５５および第三平面部６２は、遠心ファン２と軸９との間に作用するラジアル荷重を確実に支持する。
【００５３】
第一平面部５５および第三平面部６２は、軸９に遠心ファン２を固定する接着剤と協働して遠心ファン２と軸９との間に作用する荷重を支える一方で、仮に、軸９に遠心ファン２を固定する接着剤に不良があっても、遠心ファン２と軸９との間に作用するラジアル荷重を確実に支える。
【００５４】
それぞれの第二平面部５６およびそれぞれの第四平面部６３は、軸９の円形の外周（円弧）とそれぞれの第一平面部５５およびそれぞれの第三平面部６２が描く弦との間に区画される弓形の部位である。複数の第二平面部５６、および複数の第四平面部６３は、同じ形状を有している。
【００５５】
第二平面部５６および第四平面部６３は、軸９の延伸方向（軸９の長手方向、中心線Ｃに沿う方向）において、遠心ファン２の孔１５に対する軸９の挿入位置（挿入深さ）を規定する。つまり、相互に対面し、かつ接着される第二平面部５６および第四平面部６３は、軸９に遠心ファン２を固定する工程において、軸９と遠心ファン２との組立精度を向上させる。
【００５６】
なお、遠心ファン２の第四平面部６３は、複数に分割されていなくても良い。つまり、遠心ファン２は、第二平面部５６に接触する部位（第四平面部６３）を含み、かつ軸９の軸径Ｄよりも大きい平面部６５（遠心ファン２のハブ１２の下流側の端面部）を有していても良い。換言すると、第四平面部６３は、平面部６５の一部であって、第二平面部５６に非接触の部位（接触しない部位）を介して一続きに繋がっていても良い。
【００５７】
ところで、軸９の回転方向荷重支持部５１、および遠心ファン２の孔１５の形状は、図３および図４に示されている正方形に限られない。
【００５８】
図５は、図２のＩＶ−ＩＶ線における断面図であって、本発明の実施形態に係る電動送風機の遠心ファンおよび軸の第二例の断面図である。
【００５９】
図５に示すように、本実施形態に係る電動送風機１は、軸９の中心線Ｃの方向から見ると、正三角形の回転方向荷重支持部５１および孔１５を備えている。
【００６０】
つまり、複数の第一平面部５５および複数の第三平面部６２は、正三角形を描いている。それぞれの第二平面部５６およびぞれぞれの第四平面部６３は、軸９の円形の外周（円弧）とそれぞれの第一平面部５５およびそれぞれの第三平面部６２が描く弦との間に区画される弓形の部位である。複数の第二平面部５６、および複数の第四平面部６３は、同じ形状を有している。
【００６１】
図６は、図２のＩＶ−ＩＶ線における断面図であって、本発明の実施形態に係る電動送風機の遠心ファンおよび軸の第三例の断面図である。
【００６２】
図６に示すように、本実施形態に係る電動送風機１は、軸９の中心線Ｃの方向から見ると、正五角形の回転方向荷重支持部５１および孔１５を備えている。
【００６３】
つまり、複数の第一平面部５５および複数の第三平面部６２は、正五角形を描いている。それぞれの第二平面部５６およびぞれぞれの第四平面部６３は、軸９の円形の外周（円弧）とそれぞれの第一平面部５５およびそれぞれの第三平面部６２が描く弦との間に区画される弓形の部位である。複数の第二平面部５６、および複数の第四平面部６３は、同じ形状を有している。
【００６４】
図７は、図２のＩＶ−ＩＶ線における断面図であって、本発明の実施形態に係る電動送風機の遠心ファンおよび軸の第四例の断面図である。
【００６５】
図７に示すように、本実施形態に係る電動送風機１は、軸９の中心線Ｃの方向から見ると、正六角形の回転方向荷重支持部５１および孔１５を備えている。
【００６６】
つまり、複数の第一平面部５５および複数の第三平面部６２は、正六角形を描いている。それぞれの第二平面部５６およびぞれぞれの第四平面部６３は、軸９の円形の外周（円弧）とそれぞれの第一平面部５５およびそれぞれの第三平面部６２が描く弦との間に区画される弓形の部位である。複数の第二平面部５６、および複数の第四平面部６３は、同じ形状を有している。
【００６７】
また、軸９の回転方向荷重支持部５１は、軸９の外周（円、または円弧）に連なる部分を有している（残している）形状であっても良い。
【００６８】
図８は、図２のＩＶ−ＩＶ線における断面図であって、本発明の実施形態に係る電動送風機の遠心ファンおよび軸の第五例の断面図である。
【００６９】
図８に示すように、本実施形態に係る電動送風機１は、軸９の中心線Ｃの方向から見ると、軸９の外周（円、または円弧）に連なる１つの円弧部７１を有している。
【００７０】
一つの第一平面部５５および一つの第三平面部６２は、軸９の外周円をＣ形状に切り欠いている。１つの第二平面部５６および１つの第四平面部６３は、軸９の円形の外周（円弧）と第一平面部５５および第三平面部６２が描く弦との間に区画される弓形の部位である。
【００７１】
図９は、図２のＩＶ−ＩＶ線における断面図であって、本発明の実施形態に係る電動送風機の遠心ファンおよび軸の第六例の断面図である。
【００７２】
図９に示すように、本実施形態に係る電動送風機１は、軸９の中心線Ｃの方向から見ると、軸９の外周（円、または円弧）に連なる２つの円弧部７１を有している。換言すると、本実施形態に係る電動送風機１は、軸９の中心線Ｃの方向から見ると、小判形の回転方向荷重支持部５１および孔１５を備えている。
【００７３】
２つの第一平面部５５および２つの第三平面部６２は、軸９の中心線を挟んで対向している。それぞれの第二平面部５６およびそれぞれの第四平面部６３は、軸９の円形の外周（円弧）とそれぞれの第一平面部５５および２つのそれぞれの第三平面部６２が描く弦との間に区画される弓形の部位である。２つの第二平面部５６、および２つの第四平面部６３は、同じ形状を有している。
【００７４】
図５から図９に示される第一平面部５５および第三平面部６２は、正方形の回転方向荷重支持部５１および孔１５（図４）と同様に、遠心ファン２と軸９との間に作用するラジアル荷重を確実に支える。
【００７５】
また、図５から図９に示される第二平面部５６および第四平面部６３は、軸９に遠心ファン２を固定する工程において、遠心ファン２の孔１５に対する軸９の挿入位置（挿入深さ）を確実に規定する。
【００７６】
なお、挿入位置決定部５２は、図８のように軸９の中心線Ｃに対して非対称に配置されているよりも、図３から図７、および図９のように、軸９の中心線Ｃの回りに実質的に均等に配置されている方が好ましい。軸９の中心線Ｃの回りに実質的に均等に配置されている挿入位置決定部５２は、軸９の中心線Ｃと遠心ファン２の中心線との間の傾きを抑えて電動送風機１の組立精度を向上させる。
【００７７】
また、挿入位置決定部５２は、図３から図７のように折れ曲がった角部を有する正多角形状に限られず、軸９の外周に連なる角丸部を有する角丸多角形状であっても良い。つまり、それぞれの第一平面部５５およびそれぞれの第三平面部６２の間の角部は、軸９の外周に連なる円弧形状であっても良い。
【００７８】
ところで、図３から図９に示される回転方向荷重支持部５１の最大外径は、軸９の軸径Ｄと同じである。しかしながら、回転方向荷重支持部５１の最大外径は、軸９の軸径Ｄよりも小さくても良い。
【００７９】
図１０は、図２のＩＶ−ＩＶ線における断面図であって、本発明の実施形態に係る電動送風機の遠心ファンおよび軸の第七例の断面図である。
【００８０】
図１０に示すように、本実施形態に係る電動送風機１の回転方向荷重支持部５１の最大外径ＭＯＤは、軸９の軸径Ｄよりも小さい。
【００８１】
例えば、回転方向荷重支持部５１が正方形の場合には、その最大外径ＭＯＤは、正方形の対角線の長さに相当し、かつ軸９の軸径Ｄよりも小さい。
【００８２】
回転方向荷重支持部５１の最大外径ＭＯＤが軸９の軸径Ｄよりも小さい場合には、挿入位置決定部５２の第二平面部５６は、軸９の全周に渡って一続きに繋がる。
【００８３】
なお、回転方向荷重支持部５１が図５から図７に示すような正多角形の場合であっても同様である。
【００８４】
図１１は、図２のＩＶ−ＩＶ線における断面図であって、本発明の実施形態に係る電動送風機の遠心ファンおよび軸の第八例の断面図である。
【００８５】
図１２は、図２のＩＶ−ＩＶ線における断面図であって、本発明の実施形態に係る電動送風機の遠心ファンおよび軸の第九例の断面図である。
【００８６】
図１１および図１２に示すように、本実施形態に係る電動送風機１の回転方向荷重支持部５１がＣ形（図１１）や小判形（図１２）の場合には、その最大外径ＭＯＤは、第一平面部５５以外の円弧部７１の直径に相当し、かつ軸９の軸径Ｄよりも小さい。
【００８７】
そして、挿入位置決定部５２の第二平面部５６は、軸９の全周に渡って一続きに繋がる。
【００８８】
図１０から図１２に示すような、軸９の全周に渡って一続きに繋がる挿入位置決定部５２は、軸９に遠心ファン２を固定する工程において、軸９の中心線Ｃと遠心ファン２の中心線との間の傾きを抑えて電動送風機１の組立精度を向上させる。
（効果）
【００８９】
本実施形態に係る電動送風機１は、第一平面部５５を有する回転方向荷重支持部５１と、第二平面部５６を有する挿入位置決定部５２と、第三平面部６２を有する孔１５と、第四平面部６３を有する孔縁部６１と、を備えている。そのため、電動送風機１は、軸９と遠心ファン２との間に作用するラジアル荷重を確実に支え、かつ遠心ファン２の孔１５に対する軸９の挿入位置を規定して電動送風機１の組立精度を向上させる。
【００９０】
また、本実施形態に係る電動送風機１は、第一平面部５５および第三平面部６２を、複数かつ同数有している。そのため、電動送風機１は、軸９と遠心ファン２との間に作用するラジアル荷重をより確実に支え、かつ遠心ファン２の孔１５に対する軸９の挿入位置を規定し、かつ軸９の中心線Ｃと遠心ファン２の中心線との傾きを抑えて電動送風機１の組立精度をさらに向上させる。
【００９１】
さらに、本実施形態に係る電動送風機１は、軸９の中心線Ｃの回りに等間隔に配置される複数の第一平面部５５および複数の第三平面部６２を備えている。そのため、電動送風機１は、回転系（遠心ファン２および軸９）の回転バランスを容易に均等化し、回転中心線Ｃに対する質量分布の偏り（偏心）を抑制できる。回転バランスの均等化は、電動送風機１の振動や騒音を低減させる。
【００９２】
また、本実施形態に係る電動送風機１は、軸９よりも細い回転方向荷重支持部５１を備えている。軸９よりも細い回転方向荷重支持部５１によって、挿入位置決定部５２の第二平面部５６は、容易に一続きに形成される。そのため、電動送風機１は、軸９の中心線Ｃと遠心ファン２の中心線との傾きをさらに確実に抑えて電動送風機１の組立精度をさらに向上させる。
【００９３】
さらに、本実施形態に係る電動送風機１は、第一平面部５５および第三平面部６２と同数の第二平面部５６を備えている。そのため、電動送風機１は、軸９の中心線Ｃと遠心ファン２の中心線との傾きを確実に抑えて電動送風機１の組立精度をさらに向上させる。
【００９４】
また、本実施形態に係る電動送風機１は、軸９の中心線Ｃの回りに等間隔に配置される複数の第二平面部５６を備えている。そのため、電動送風機１は、回転系（遠心ファン２および軸９）の回転バランスを容易に均等化し、回転中心線Ｃに対する質量分布の偏り（偏心）を抑制できる。回転バランスの均等化は、電動送風機１の振動や騒音を低減させる。
【００９５】
さらに、本実施形態に係る電動送風機１は、軸９に固定されて遠心ファン２が軸９から抜け出ることを防ぐ抜止部１０を備えている。そのため、電動送風機１は、遠心ファン２に作用するスラスト荷重を確実に支えることができる。
【００９６】
したがって、本実施形態に係る電動送風機１によれば、回転にともなって軸９と遠心ファン２との間に作用する力を確実に支えて、両者の固定を確実にし、かつ組立性を向上できる。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１…電動送風機、２…遠心ファン、３…ロータ、５…電動機、６…ディフューザー、７…吸込口、８…シュラウド、８ａ…凹部、９…軸、１０…抜止部、１１…軸受組立部品、１２…ハブ、１３…羽根、１５…孔、１６…スリーブ、１７…軸受、１８…回転子、１９…固定子、２１…貫通孔、２２…ハブ、２３…周壁、２５…軸線方向ベーン、２６…中央部、２７…外側環状部、２８…円板部、３１…第一段部、３２…第二段部、３３…半径方向ベーン、４１…壁部、４２…第一壁、４３…第二壁、４４…第三壁、４６…接着剤、５１…回転方向荷重支持部、５２…挿入位置決定部、５５…第一平面部、５６…第二平面部、６１…孔縁部、６２…第三平面部、６３…第四平面部、６５…平面部、７１…円弧部。
【図１】
2020023952.tif 000003
【図２】
2020023952.tif 000004
【図３】
2020023952.tif 000005
【図４】
2020023952.tif 000006
【図５】
2020023952.tif 000007
【図６】
2020023952.tif 000008
【図７】
2020023952.tif 000009
【図８】
2020023952.tif 000010
【図９】
2020023952.tif 000011
【図１０】
2020023952.tif 000012
【図１１】
2020023952.tif 000013
【図１２】
2020023952.tif 000014